(57)【要約】【課題】バレル研磨機に使用される研磨材であって、被研磨材である部品と均等に混ざり合って、均等に擦れ合うことが出来、その結果、短時間で綺麗な研磨を行なうことが出来るバレル研磨機用研磨材の提供。【解決手段】研磨材はセラミック粒子１，１…を混入した樹脂製とし、その内部には金属製粒子２，２…を混在してその比重を３〜５としている。【選択図】　　　　図１
2004074375.tif 000002
【特許請求の範囲】
【請求項１】
バレル研磨機に使用される研磨材において、内部には金属製粒子を混在してその比重を約３〜５としたことを特徴とするバレル研磨機用研磨材。
【請求項２】
バレル研磨機に使用される研磨材において、該研磨材はセラミックを混入した樹脂製とし、その内部には金属製粒子を混在してその比重を約３〜５としたことを特徴とするバレル研磨機用研磨材。
【請求項３】
バレル研磨機に使用される研磨材において、該研磨材はセラミック粉末を固めたセラミック製とし、内部には金属製粒子を混在してその比重を約３〜５としたことを特徴とするバレル研磨機用研磨材。
【発明の詳細な説明】
【０００１】
【発明の属する技術分野】
本発明は、バレル研磨機において使用するもので、効率よく短時間で綺麗に研磨することが出来る研磨材に関するものである。
【０００２】
【従来の技術】
メガネフレームの部品等、細かい成型部品の表面を磨く場合、従来からバレル研磨機が使用されている。又、プレスで打抜かれた金属製部品にはバリが発生しているが、このバリを取り除くためにバレル研磨機が使用される。バレル研磨機にも色々な型式があり、例えば、回転式バレル研磨機、遠心バレル研磨機、流重力バレル研磨機、振動バレル研磨機などが知られている。
【０００３】
図３は上記回転式バレル研磨機のバレル断面を示しているが、多角形断面のバレル（イ）は中心Ｏを軸として回転することで、バレル内に収容している部品（被研磨材）（ロ）、（ロ）・・及び研磨材（ハ）、（ハ）・・は互いに混ざり合って流動する。バレル（イ）が反時計方向（矢印方向）に回転するならば、部品（ロ）、（ロ）・・及び研磨材（ハ）、（ハ）・・は該バレルの回転に伴って上昇し、ある高さから崩れ落ちる。
【０００４】
この上昇と崩れ落ちの繰り返しによって部品（ロ）、（ロ）・・は研磨材（ハ）、（ハ）・・と混ざり合って流動することで表面は擦れ合って磨かれる。プレス打抜きされた部品（ロ）、（ロ）・・であれば、研磨材（ハ）、（ハ）・・と擦れ合うことでバリは取り除かれる。
【０００５】
図４は遠心バレル研磨機のバレル断面を示している。中心Ｏから延びる４本のアーム（ニ）、（ニ）・・の先端には夫々バレル（ホ）、（ホ）・・が取付けられ、アーム（ニ）、（ニ）・・の回転に伴ってバレル（ホ）、（ホ）・・は回転する。この場合、バレル（ホ）、（ホ）・・はアーム（ニ）、（ニ）・・の回転軸を中心として回転するが、バレル（ホ）、（ホ）・・の軸Ｍ，Ｍ・・を中心としては回転しないように成っている。
【０００６】
すなわち、各バレル（ホ）、（ホ）・・は向きを変えることなくアーム（ニ）、（ニ）・・の回転軸の周りを回転（公転）することになる。従って、バレル内に収容されている部品及び研磨材は流動して互い擦れ合い、部品の表面が磨かれ、又部品に残っているバリは取り除かれる。
【０００７】
一方、流重力バレル研磨機は電気洗濯機の浴槽内に部品と研磨材を混合して収容し多用なものであり、浴槽の回転に伴って流動する部品と研磨材は互いに擦れ合い、部品の表面が磨かれる。又発生しているバリは取り除かれる。さらに、振動バレル研磨機は、バレル内に部品と研磨材を収容し、該バレルに振動を与えることで該部品と研磨材が互いに擦れ合って磨かれる。
【０００８】
このように、バレル研磨機には色々な型式があるが、何れのバレル研磨機も部品と研磨材が擦れ合うことで表面が磨かれる訳であるが、従来のバレル研磨機に使用されている研磨材は部品に比較してその比重が小さいこともあり、研磨材同士が寄り集まってしまい、均等に混ざり合うことが出来ない。その結果、部品同士が擦れ合い、研磨材同士が擦れ合うような現象となる。
【０００９】
例えば、前記図３に示している回転式バレル研磨機の場合、部品が上昇して崩れ落ちる領域と研磨材が上昇して崩れ落ちる領域が分離してしまう。従って、部品は効率よく磨かれない為に研磨時間は長くなり、又部品同士の擦れ合いによって表面にキズが付くこともある。
【００１０】
【発明が解決しようとする課題】
このように、従来のバレル研磨機に使用される研磨材には上記のごとき問題がある。本発明が解決しようとする課題はこの問題点であり、被研磨材である部品と均等に混ざり合って、均等に擦れ合うことが出来、短時間でバレル研磨を行い得るバレル研磨機用研磨材を提供する。
【００１１】
【課題を解決する為の手段】
本発明に係るバレル研磨機用研磨材はその比重を大きくし、研磨される部品の比重に近づけたものである。従来の研磨材には色々な形態があって、樹脂にセラミック粉末を混在したもの、セラミックを固めたものなど色々であるが、その比重は約２．３〜２．５である。金属製部品を研磨する場合、従来の比重からなる研磨材では該部品との比重差が大きく、研磨中に部品と分離してしまう。
【００１２】
そこで、本発明の研磨材の比重を約３〜５又はそれ以上としている。研磨材の形状は限定しないが、一般には三角錐や円錐などが主であって、比重を大きくするために、内部に金属製粒子を混在する。以下、本発明に係る実施例図面に基づいて詳細に説明する。
【００１３】
【実施例】
図１は本発明に係るバレル研磨機用研磨材を示している具体例であり、その形状は円錐形を成している。この円錐研磨材は樹脂製であって、内部にはセラミック粒子１，１・・及び金属製粒子２，２・・が混在している。すなわち高温加熱して溶けた樹脂中に上記セラミック粒子１，１・・及び金属製粒子２，２・・を混入して成形している。ここで、金属製粒子２はその比重が８〜１０程度のものが使用され、これを研磨材中に混入することで、該研磨材の比重は３〜５程度にすることが出来る。
【００１４】
図２は円柱形の研磨材を示しているが、この研磨材も前記円錐形研磨材と同じように、樹脂中にセラミック粒子１，１・・と金属製粒子２，２・・を混在したものであり、その比重は３〜５と成っている。ところで、本発明の研磨材は樹脂製に限るものではなく、セラミック製とし、すなわちセラミック粉末を固めたものに金属製粒子を混在して構成することも出来る。
【００１５】
ところで、メガネフレームの部品は小さくてその形状が複雑化している為に、成形された部品の表面を磨くために従来からバレル研磨が行われて来ている。近年、金属製メガネフレームとして多用されている材質にチタンがあり、このチタンの比重は約４．５である。従来の研磨材の場合、２．３〜２．５の比重である為に、チタン製部品との間に大きな比重差がある為にバレル研磨時に分離してしまい、研磨効率が低下する。
【００１６】
又、アルミニウムを材質としたメガネフレーム部品は、その比重が約２．４である為に、従来の研磨材を使用して研磨することが出来る。一方、マグネシウム部品では、その比重が約１．８である為に、従来の研磨材より小さな比重の方が適している。
【００１７】
以上述べたように、本発明に係るバレル研磨機用研磨材は、内部に金属製粒子を混在することで、その比重を約３〜５としたものであり、次のような効果を得ることが出来る。
【００１８】
【発明の効果】
本発明のバレル研磨機用研磨材はその比重が約３〜５と成っている為に、近年多用されているチタン製のメガネフレーム部品をバレル研磨する場合、該研磨材と部品は均一に混ざり合うことが出来る。これは乾式研磨であっても湿式研磨であっても同じである。従って、研磨時間は短くなって研磨効率は向上する。又、部品と研磨材が均一に混ざり合う為に、部品同士の擦れ合いは減少し、バリが発生した部品同士の接触に基づく表面キズの発生はない。
【００１９】
そして、本発明の研磨材は内部に金属製粒子を混在している為に磁石に吸着され、研磨される部品が磁石に吸着しないものであるならば、部品と研磨材を簡単に分離・選別することが出来、研磨材の再利用が出来る。
【図面の簡単な説明】
【図１】本発明に係るバレル研磨機用研磨材。
【図２】本発明に係るバレル研磨機用研磨材。
【図３】回転式バレル研磨機。
【図４】遠心バレル研磨機。
【符号の説明】
１　セラミック粒子
２　金属製粒子
【図１】
2004074375.tif 000003
【図２】
2004074375.tif 000004
【図３】
2004074375.tif 000005
【図４】
2004074375.tif 000006